(57)【要約】本発明は、テレビ電話用アンテナに関する。特にアンテナの長さを伸長させることによって、テレビ電話が動かされたり止められたりする場合でさえ、テレビ放送の信号の受信の度合いを高めることができる改良されたテレビ電話用アンテナに関する。ここで、アンテナの長さの伸長は、多段型のロッドアンテナを形成することによってなされる。本発明に係るロッドアンテナは、つまみが形成されている絶縁部分、多段ロッド部分、伝導性の下層部分を含んでいる。多段ロッド部分は、電波送受信機能のための信号広がり機能を働かせるため、多数の段から形成される。下層部分は、絶縁部分と多段ロッド部分とが広げられる場合に、多段ロッド部分の一段目のロッド部分と接続しており、ヘリカルアンテナの金属ブッシングと電気的に接触するものである。
2006508604.tif 000002
【特許請求の範囲】
【請求項１】
テレビ電話のためのロッドアンテナと、
ヘリカルアンテナと、
からなる携帯テレビ電話用アンテナであって、
上記ロッドアンテナは、
つまみが形成されている絶縁部分と、
電波送受信機能のための信号広がり機能を働かせるための多数の段が形成されている多段ロッド部分と、
上記絶縁部分と上記多段ロッド部分とが広げられる場合に、該多段ロッド部分の第一の段のロッド部分と接続され、上記ヘリカルアンテナの金属ブッシングと電気的に接触するように形成されている伝導性の下層部分と、
を備えていることを特徴とする携帯テレビ電話用アンテナ。
【請求項２】
上記多段ロッド部分は、３段より多い段のロッド部分から形成されていることを特徴とする請求項１に記載の携帯テレビ電話用アンテナ。
【請求項３】
上記絶縁部分は、上記多段ロッド部分における最後の段のロッド部分と接続されており、
該絶縁部分と該多段ロッド部分とは、上記ヘリカルアンテナの円筒型ハウジングの内部に挿入されることにより、該円筒型ハウジングから伸長できるとともに当該円筒型ハウジングに収まることができることを特徴とする請求項１に記載の携帯テレビ電話用アンテナ。
【請求項４】
上記ロッドアンテナの上記多段ロッド部分におけるそれぞれの段のロッド部分は、次段のロッド部分の内部に挿入され、該ロッド部分から伸長できるとともに該ロッド部分に収まることができることを特徴とする請求項１に記載の携帯テレビ電話用アンテナ。
【請求項５】
上記多段ロッド部分における第一のロッド部分の材質は、形状記憶合金であるＮＩ／ＴＩワイヤであることを特徴とする請求項１に記載の携帯テレビ電話用アンテナ。
【発明の詳細な説明】
【発明の詳細な説明】
【０００１】
〔技術分野〕
本発明は、テレビ電話用アンテナに関する。特にテレビ電話が、アンテナの長さを伸長することによって動かされたり、止められたりするときでさえ、テレビ放送信号の受信の度合いを高めることができるテレビ電話用の改良されたアンテナに関する。ここで、アンテナの長さの伸長は、ロッドアンテナとヘリカルアンテナとからなる携帯テレビアンテナのロッドアンテナを多段型に形成することによってなされる。
【０００２】
〔背景技術〕
最近、無線インターネット通信を含む様々なマルチメディアを実現するために、パームトップコンピューターまたはＰＤＡに、携帯電話を組み込んだタイプの個人情報通信携帯端末（personal information communication portable terminal）が発展している。特に、上記端末は、顧客管理機能、電話帳機能、ｅメール送受信機能、ニュース等の文字情報送受信機能（character information character and receipt function）を実現することができる。
【０００３】
加えて、メディア通信の基本的な機能であるテレビ放送信号の受信と、無線電話機能とを行うことができるテレビ電話は、個人情報通信可動端末（personal information communication movable terminal）と共に急速に発展している。
【０００４】
図１は、従来のテレビ電話を説明するためのブロック図である。従来のテレビ電話は、アンテナ部分１０、テレビ放送受信部分２０、無線電話送受信部分３０、スピーカー４０、マイク５０、表示部分６０、キーパッド７０、電力部分８０、制御部分９０を含んでいる。アンテナ部分１０は、ロッドアンテナとヘリカルアンテナとからなり、テレビ放送信号の受信及び無線電話信号の送受信をするために取り付けられている。テレビ放送受信部分２０は、アンテナ部分１０から受信するテレビ放送信号を選択及び変調するために取り付けられている。無線電話送受信部分３０は、アンテナ部分１０からの無線電話信号を、ディジタル形式またはアナログ形式へと変換するために取り付けられており、これによって信号の処理を行っている。スピーカー４０は、テレビ放送信号の音信号の出力、及び無線電話の音信号の出力を行うために取り付けられている。マイク５０は、利用者の音信号を入力するために取り付けられており、これによって無線電話通信を行うことができる。表示部分６０は、テレビ信号、様々な情報、制御状態の映像を表示するために取り付けられている。キーパッド７０は、テレビ放送及び無線電話通信のための様々な制御モードを設定するために取り付けられている。電力部分８０は、各素子へ操作電力を供給するために取り付けられている。制御部分９０は、各素子の全体にわたる動作を制御するために取り付けられている。
【０００５】
このように構成されるテレビ電話において、無線電話信号とテレビ放送信号とをアンテナ部分１０を通じて受信することによって、無線電話の通信とテレビ放送を見ることとが行われている。
【０００６】
すなわち、無線電話機能は、アンテナ部分１０のヘリカルアンテナが作用することによって行われ、テレビを見る機能は、アンテナ部分１０のヘリカルアンテナとロッドアンテナとの両方の作用によって行われている。
【０００７】
しかしながら、上記従来のテレビ電話においては、テレビ電話のアンテナ部分１０に従来の無線電話のアンテナを使用しているため、無線電話の周波数よりも低いテレビ放送の周波数を受信する場合に、信号の受信の度合いが、無線電話が動かされたり、止められたりする場合に著しく減少する。
【０００８】
〔発明の概要〕
従って、本発明の目的は、従来技術における問題を克服することができるテレビ電話用のアンテナを提供することである。
【０００９】
本発明のもう１つ目的としては、ロッドアンテナとヘリカルアンテナとから形成される携帯用テレビアンテナの長さを伸長させることにより、テレビ電話が動かされたり、止められたりする場合でさえも、テレビ放送信号の信号の受信の度合いを高めることができるテレビ電話用アンテナを提供することである。ここで、携帯用テレビアンテナのアンテナの長さの伸長は、ロッドアンテナを多段形状にすることによって行われる。
【００１０】
上記目的を達成するために、ロッドアンテナとヘリカルアンテナとから形成される携帯テレビ電話用アンテナは、テレビ電話のためのロッドアンテナ、多段ロッド部分、伝導性の下層部分によって提供される。テレビ電話のためのロッドアンテナは、つまみを形成している絶縁部分を含んでいる。多段ロッド部分は、電波の送受信機能のための信号広がり機能（signal spreading function）を働かせるために多段形状となっている。伝導性の下層部分は、絶縁部分と多段ロッド部分とが広がった場合、多段ロッド部分の第一のロッド部分と接続され、ヘリカルアンテナの金属ブッシングと電気的に接触するようになっている。
【００１１】
加えて、ロッドアンテナの多段ロッド部分において、それぞれの段のロッド部分は、次段のロッド部分の内部へと挿入されており、該ロッド部分から伸長できるとともに該ロッド部分に収まることができるようになっている。
【００１２】
本発明は、図面を参照することで、良く理解することができる。本図面は、一例についてのみ与えられるが、本発明はこれに限定されない。
【００１３】
図１は、従来のテレビ電話を説明するためのブロック図である。
【００１４】
図２は、本発明の実施形態に係るテレビ電話用アンテナを説明するための概略図である。
【００１５】
図３は、本発明の実施形態に係るテレビ電話用アンテナを説明するための分解図である。
【００１６】
本発明に従って、テレビ電話用アンテナの構成及び動作について、図面を参照して説明する。
【００１７】
図２は、本発明の実施形態に係るテレビ電話用アンテナを説明するための概略図である。図３は、本発明の実施形態に係るテレビ電話用アンテナを説明するための分解図である。ここで示すように、本発明に係るテレビ電話用アンテナは、絶縁部分１１、第一のロッド部分１３、第二のロッド部分１４、第三のロッド部分１５、そして下層部分１６を含んでいる。
【００１８】
すなわち、ヘリカルアンテナ１２は、スクリュー形状のヘリカルアンテナ（図示せず）と、金属ブッシング（図示せず）とから形成されている。スクリュー形状のヘリカルアンテナは、円筒型ハウジング（cylindrical housing）の中に形成されており、ハウジング内部での電波の送受信動作のための信号広がり機能を働かせるために取り付けられている。金属ブッシングは、ヘリカルアンテナと電気的に接触するように取り付けられており、テレビ電話の主要部に伸縮自在の状態で接続されている。
【００１９】
加えて、ロッドアンテナは、つまみ１１’が形成されている絶縁部分１１と、第一から第三のロッド部分１３〜１５と、伝導性の下層部分１６とを含んでいる。第一から第三のロッド部分１３〜１５は、電波送受信動作のための信号広がり機能を働かせるためのものである。伝導性の下層部分１６は、絶縁部分１１と第一から第三のロッド部分１３〜１５とが広げられる場合に、ヘリカルアンテナ１２の金属ブッシングと電気的に接触するようになっている。
【００２０】
絶縁部分１１は、第三のロッド部分１５と接続されている。そして、絶縁部分１１と第一から第三のロッド部分１３〜１５とは、ヘリカルアンテナ１２の円筒型ハウジング内部に挿入されており、ここで伸長させたり短くさせたりすることができるようになっている。そして、第一のロッド部分１３は、第二のロッド部分１４の内部に挿入され、そこで伸長させたり短くさせたりすることができる。第一から第三のロッド部分１３〜１５が、上記のような手法で構成されることによって、ロッドアンテナは多数の段を形成している。
【００２１】
ここで、第一のロッド部分１３は、形状記憶合金であるＮＩ／ＴＩワイヤ（ＮＩ／ＴＩ wire）で形成され、曲げられることなく、同じ形状を保つように設計されている。そして、第二のロッド部分１４と第三のロッド部分１５とは、好ましくは、ステンレスパイプによって形成される。但し、これと同一の材料には限定されない。
【００２２】
ロッドアンテナは、アンテナの長さを伸ばすことが可能であり、小さな受信空間で３段で伸長させるために、３つの段から形成されている。
【００２３】
それゆえ、テレビ電話として、無線電話の周波数よりも低いテレビ電話の周波数を受信する場合、ロッドアンテナは、テレビ放送の周波数を受信するためのテレビアンテナとして良く適合している。
【００２４】
本発明に係る上記構成のアンテナと、該アンテナを含むテレビ電話との動作について、以下に記述する。ロッドアンテナが収められている状態では、ロッドアンテナの下層部分１６は、テレビ電話の内部の深い部分の中にある。このため、下層部分１６は、ヘリカルアンテナ１２の金属ブッシングとは電気的に接触していない。よって、ヘリカルアンテナ１２の動作に基づいて、テレビ電話の無線電話機能がなされる。ロッドアンテナが伸長されている状態では、ロッドアンテナは、ロッドアンテナの３番目、２番目、１番目のロッド部分１５，１４，１３を１段づつ上方に伸長させることによって広げられる。このため、下層部分１６は、ヘリカルアンテナ１２の金属ブッシングと電気的に接触している。よって、アンテナの長さが伸長した状態で、ロッドアンテナ及びヘリカルアンテナ１２双方が作用することにより、テレビ電話のテレビ放送を見る機能がなされる。
【００２５】
本発明の好ましい実施形態に係るテレビ電話アンテナにおいて、ロッドアンテナは、３つの段で形成されることが好ましい。本発明の他の好ましい実施形態として、ロッド部分を収めるための空間容量に基づいて、４つの段または５つの段のロッドアンテナを形成させることが可能である。
【００２６】
以上述べたように、本発明に係るロッドアンテナとヘリカルアンテナとから形成される可動式テレビアンテナにおいて、ロッドアンテナは、多数の段からなる多段ロッド部分によって形成される。そして、それぞれの段のロッド部分は、同一の手法によって形成されている。その手法とは、アンテナの長さを伸長させるため、ロッド部分を次段のロッド部分の内部へ挿入させることにより、該ロッド部分から伸長できるとともに該ロッド部分に収まることができるように形成させるものである。それゆえ、端末が動かされたり、止められたりしている場合でさえも、テレビ放送信号の信号受信の度合いを高めることが可能である。さらには、これにより、今後、テレビ電話の幅広い使用を期待することができる。
【００２７】
本発明は、本発明についての意図もしくは本質的な特性から外れない様々な形態で具体化することができる。このため、上述した例は、先の記述の詳細な説明によっては限定されないことが理解できる。もし本発明が、上述した例とは別の例が明細書に記載されていなくても、添えられた請求項の中で定義された意図及びその範囲（meets and bounds）内で幅広く解釈することができる。それゆえ、請求項の範囲内にある全ての変更および改良、またそのような範囲と同等のものは、添えられた請求項によって、本発明の中に包含される。
【図面の簡単な説明】
【００２８】
【図１】従来のテレビ電話を示す概略図である。
【図２】本発明の実施形態に係るテレビ電話用アンテナを示す概略図である。
【図３】本発明の実施形態に係るテレビ電話用アンテナを示す分解図である。
【符号の説明】
【００２９】
１１    絶縁部分
１２    ヘリカルアンテナ
１３    第一のロッド部分
１４    第二のロッド部分
１５    第三のロッド部分
１６    下層部分
【図１】
2006508604.tif 000003
【図２】
2006508604.tif 000004
【図３】
2006508604.tif 000005
【国際調査報告】
2006508604.tif 000006
2006508604.tif 000007